(57)【要約】      （修正有）【課題】  遊技者が球抜き中にシャッター板を手で固定することなく球抜き口の開口を保持可能で、操作性の高い下球皿の球抜き機構を提供する。【解決手段】  球皿６０に水平方向に摺動可能に配設された球抜き口６６を開閉するシャッター部材７１と、シャッター部材７１に水平方向に回動自在に取り付けられた操作部材７２と、操作部材７２及び球皿６０を連結して配設された弾性部材７３とを備えて構成される。この弾性部材７３は、操作部材７２を所定方向に回動させるとともにシャッター部材７１を閉止方向に移動させる付勢力を付与している。操作部材７２は掛止部７２ｃを有しており、操作部材７２を操作してシャッター部材７１を弾性部材７３の付勢力に抗して球抜き口６６を開口する位置まで摺動移動させた状態では、操作部材７２が弾性部材７３の付勢力を受けて所定方向に回動することにより掛止部７２ｃが球皿６０の被掛止部７４ｂに係止される。【選択図】  図８
2006149509.tif 000002
【特許請求の範囲】
【請求項１】
遊技機の前面に突出して設けられた球皿構造体において、
遊技球を貯留する球皿の底部に球抜き口が設けられており、
前記球皿に水平方向に摺動可能に配設され、前記球抜き口を開閉するシャッター部材と、
前記シャッター部材に水平方向に回動自在に取り付けられた操作部材と、
前記操作部材及び前記球皿を連結して配設され、前記操作部材を所定方向に回動させるとともに前記シャッター部材を閉止方向に移動させる付勢力を付与する弾性部材とを備えて構成される遊技機の球抜き機構であって、
前記操作部材は掛止部を有し、
前記操作部材を操作して前記シャッター部材を前記弾性部材の付勢力に抗して前記球抜き口を開口する位置まで摺動移動させた状態で、前記操作部材が前記弾性部材の付勢力を受けて前記所定方向に回動することにより、前記掛止部が前記球皿の被掛止部に係止されて前記操作部材及び前記シャッター部材の位置が保持されることを特徴とする遊技機の球抜き機構。
【請求項２】
前記球抜き口が開口している状態において、前記操作部材を前記所定方向の反対方向に回動させることにより前記掛止部が前記被掛止部より外れ、前記シャッター部材は前記弾性部材の付勢力により前記閉止方向に移動して前記球抜き口を閉止することを特徴とする請求項１に記載の遊技機の球抜き機構。
【請求項３】
前記弾性部材が、引っ張りバネ部材であることを特徴とする請求項１または２に記載の遊技機の球抜き機構。
【発明の詳細な説明】
【技術分野】
【０００１】
本発明は、遊技機の前面に突出して設けられた球皿構造体に遊技球を貯留する球皿を備えた遊技機の球抜き構造に関する。
【背景技術】
【０００２】
遊技機の前面に突出する球皿構造体を有し、この球皿構造体に球抜き機構を備えた遊技機としてパチンコ機が広く知られている。パチンコ機では、遊技盤を収容保持する前枠の前面下部に前方に突出して下球皿構造体が取り付けられ、この下球皿構造体に遊技球を貯留する下球皿と遊技者の喫煙用の灰皿とが設けられている。下球皿の底部には上下に連通する球抜き口が開口形成されるとともに、球抜き口の背面側に球抜き口を開閉可能に配設されたシャッター板と、このシャッター板の開閉操作を行う操作部材とを備えた球抜き機構が設けられ、例えば下球皿満杯状態になりつつあるときや、パチンコ遊技を終了したときに、遊技者が操作部材を手動操作して球抜き口を開放させ、この球抜き口の下方に用意した球箱に遊技球を落下させて収容できるように構成されている。
【０００３】
このようなパチンコ機の球抜き機構には、例えば特許文献１に記載されているように、下球皿の一部に開口した球抜き口と、該下球皿の底面に摺動自在に取り付けられ前記球抜き口を閉じる方向にスプリングで付勢されたシャッター板とからなるものがある。
【０００４】
しかし、上記のような球抜き機構では、景品球が全て抜け終わるまで遊技者がシャッター板の開口を手で固定する必要があるため、煩わしいという問題があった。このため、シャッター板にストッパー手段を設け、球抜き口が開口した位置でこのシャッター板を停止できるようにした構成が特許文献２で開示されている。
【０００５】
【特許文献１】実開昭５９−７６２８３
【特許文献２】実開平５−９５８３
【発明の開示】
【発明が解決しようとする課題】
【０００６】
上記特許文献２の球抜き装置で開示されているストッパー手段では、球抜き口を開口させる際に、シャッター板を摺動させてスプリングを引き伸ばすとともにこのシャッター板に取り付けられたピンを下球皿の底部に設けられた溝部に沿って移動させ、このピンを溝部の前方に設けられた貫通口に引っ掛けることで球抜き口の開口を保持する構成となっている。しかしながらこの構成では、球抜き口を開口させる際に、遊技者はシャッター部材を指でつまんでこれを摺動させてさらに前方にひっかける必要があり、操作性がよくないという問題があった。
【０００７】
本発明は上記のような問題に鑑みてなされたものであり、遊技者が球抜き中にシャッター板を手で固定することなく球抜き口の開口を保持可能で、操作性の高い下球皿の球抜き機構を提供することを目的とする。
【課題を解決するための手段】
【０００８】
上記目的達成のため本発明の球抜き機構では、遊技機の前面に突出して設けられた球皿構造体において、遊技球を貯留する球皿の底部に球抜き口が設けられており、球皿に水平方向に摺動可能に配設され球抜き口を開閉するシャッター部材と、シャッター部材に水平方向に回動自在に取り付けられた操作部材と、操作部材及び球皿を連結して配設された弾性部材とを備えて構成され、この弾性部材は、操作部材を所定方向に回動させるとともにシャッター部材を閉止方向に移動させる付勢力を付与している。さらに、操作部材は掛止部を有しており、操作部材を操作してシャッター部材を弾性部材の付勢力に抗して球抜き口を開口する位置まで摺動移動させた状態では、操作部材が弾性部材の付勢力を受けて所定方向に回動することにより掛止部が球皿の被掛止部に係止され、操作部材及びシャッター部材の位置が保持される。そして、球抜き口が開口している状態では、操作部材を所定方向の反対方向に回動させることにより掛止部が被掛止部より外れ、シャッター部材は弾性部材の付勢力により閉止方向に移動して球抜き口を閉止する。
【０００９】
なお、この弾性部材としては引っ張りバネ部材を使用することが好ましい。
【発明の効果】
【００１０】
本発明によれば、球抜き口の開閉はシャッター部材に付随する操作部材の摺動により行われ、この球抜き口の開口状態の保持及び解除は操作部材の回動により行われる。この操作部材の摺動及び回動は弾性部材によってそれぞれ所定方向に付勢される構成となっているため、球抜き口を開口する際には、操作部材をスライドさせるだけで球抜き口の開口状態が自動的に保持され、球抜き口を閉止する際には、操作部材の掛止部を被掛止部より外すだけで自動的に球抜き口の閉止が行われる。これにより、遊技者は手動で球抜き口の開口・閉止を保持する必要なく、遊技を中断せずに球箱への遊技球の収容をスムーズに行うことができる。
【００１１】
このように本発明によれば、シャッター部材と操作部材と弾性部材とからなる単純な構成で球抜き口の開閉及び開閉状態の保持を簡単に操作可能であり、さらには、弾性部材により操作部材に掛かる付勢力及び付勢モーメントの両方を利用することで、球抜き口の開口時におけるシャッター部材位置の保持と、球抜き口の閉止時におけるシャッター部材の閉止方向への移動との２つの作用を得ることができる。
【発明を実施するための最良の形態】
【００１２】
以下、本発明の好ましい実施形態について図面を参照しながら図面に示された座標の前後上下左右方向を基準方向として説明する。本発明に係る下球皿の球抜き機構を備えた弾球遊技機の代表例としてパチンコ機ＰＭを図１〜図３に示しており、まず、これらの図面を参照しながらパチンコ機ＰＭの全体構成について要約説明する。ここで、図１はパチンコ機ＰＭを正面側から見た斜視図、図２はパチンコ機ＰＭのガラス扉および上球皿を開放して示す斜視図、そして図３はパチンコ機ＰＭを背面側から見た斜視図である。
【００１３】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられたダブル錠と称される施錠装置４を利用して常には外枠１と係合連結された閉止状態に保持される。
【００１４】
前枠２の前面（表面）上部側には、透明アクリル板やガラス板を有したガラス扉５が左端部のヒンジ（図示せず）を介して横開きおよび着脱が自在に取り付けられ、施錠装置４により常には前枠２の前面を覆う閉止状態に保持される。ガラス扉５の背後に位置する前枠上部には、遊技盤１０を着脱自在に収容する収容枠が設けられており、この収容枠に立設姿勢で係止保持された遊技盤１０がガラス扉５を通して視認されるようになっている。また、前枠２の前面上部における左右には、スピーカ２１がそれぞれ配設されている。
【００１５】
遊技盤１０は、所定板厚の積層合板の表面にセルを貼り付けてルーター加工した化粧板を基板とし、円弧状のレール１１等に囲まれて略円形状の遊技領域ＰＡが形成されている。遊技領域ＰＡには、多数本の遊技釘や風車（図示せず）とともに各種入賞装置（図示せず）等の遊技構成部品が取り付けられ、下端部にアウト口１２が設けられている。
【００１６】
前枠２の前面（表面）における上記ガラス扉５の下側には、上球皿３０が左端のヒンジ機構２２（図２を参照）により横開きおよび着脱可能に取り付けられ、常には右側に設けられたロック機構２３（図２を参照）によりガラス扉５の下側において前枠２の前面を覆った状態で係止保持されている。また、図２に示すように、上球皿３０に前面側が覆われた前枠２の下部領域には遊技補助盤２５と称される補助機構部が形成されており、この遊技補助盤２５には、遊技盤１０の遊技領域ＰＡ内に遊技球を発射する遊技球発射装置２６や、遊技球発射装置２６から発射された遊技球を遊技盤１０に案内する発射レール（図示せず）、後述する球払出装置４２から払い出された遊技球（賞球）が排出される通出口２７等が設けられている。
【００１７】
上球皿３０は、遊技補助盤２５の前面（表面）を覆うように形成された当て板部３１と、当て板部３１の前方に突出して設けられ、遊技中に払い出された遊技球（賞球）を受容して貯留する球皿部３２とを有して構成され、さらに球皿部３２の右側（下流部）には球抜きレバー３３が取り付けられる。当て板部３１の裏面側には、図２に示すように、球皿部３２に貯留された遊技球（賞球）を１球ずつ遊技球発射装置２６（発射レール）に供給する整流装置５０が取り付けられている。当て板部３１の左上部には通出口２７と位置整合して通出樋３４が形成されており、通出口２７から排出される賞球が通出樋３４を通って球皿部３２に導かれるように構成されている。なお、図１に示すように、球皿部３２の底部は右方に向かうにつれて下方へ傾斜するように形成されており、球皿部３２に貯留された遊技球が重力の作用により整流装置５０へ導かれるようになっている。
【００１８】
前枠２の前面（表面）における上球皿３０の下側には、下球皿６０が前方に突出して設けられている。この下球皿６０は、上球皿３０の球皿部３２に貯留された遊技球（賞球）がオーバーフローしたときや、遊技者が上球皿３０の球抜きレバー３３を操作して上球皿３０から遊技球を抜いたときに、前枠２側に形成された球皿通路２８および下球皿出口２９を介して送られてくる遊技球を受容して貯留するようになっている。また、下球皿６０の右側には、遊技球の発射操作を行う発射ハンドル８が取り付けられている。
【００１９】
前枠２の背面（裏面）上部には、図３に示すように、外枠１の背面側における右上部内側の形状に合わせて逆Ｌ字形に形成された第１裏セット盤４０がヒンジ機構（図示せず）により横開き開閉および着脱可能に取り付けられ、常には前枠２の背面右上部を覆う閉鎖状態に保持される。第１裏セット盤４０には、遊技球を貯留するとともに貯留した遊技球を整列させて流下させる球貯留タンク４１、入賞状態等に基づいて遊技球を払い出す球払出装置４２、球払出装置４２から払い出された遊技球を上球皿３０に導く球払出通路４３等の遊技球の処理機構が設けられている。
【００２０】
前枠２の背面（裏面）下部には、前枠２の背面下部を覆う第２裏セット盤４５がヒンジ機構（図示せず）により横開き開閉および着脱可能に取り付けられ、常には前枠２の背面下部を覆う閉鎖状態に保持される。第２裏セット盤４５には、各制御装置および電子部品等に電力を供給する電源ユニット４６や、遊技球の払出作動を制御する球払出制御装置４７、パチンコ機ＰＭの作動を統括的に制御する主制御装置（図示せず）等が取り付けられており、これらが図示しないコネクタケーブルで接続されてパチンコ機ＰＭが作動可能に構成される。
【００２１】
パチンコ機ＰＭは、ガラス扉５、上球皿３０、第１および第２裏セット盤４０，４５等が閉鎖施錠された状態で遊技に供され、上球皿３０に遊技球を貯留させて発射ハンドル８を回動操作することにより遊技が開始される。発射ハンドル８が回動操作されると、上球皿３０に貯留された遊技球は、上球皿３０の裏面側に位置する遊技球発射装置２６により１球ずつ遊技領域ＰＡに打ち出され、パチンコゲームが展開される。
【００２２】
次に、上記のように構成されたパチンコ機ＰＭの下球皿６０の構成について図４及び図５を追加参照しながら説明する。下球皿６０は、下皿本体６１、下皿カバー６２、及び球抜き機構７０の３つの主要部を有して構成され、下皿本体６１を中心に、下皿カバー６２はこの下皿本体６１の側面及び底面の外側を覆うように、球抜き機構７０は下皿本体６１の下側に位置してそれぞれ配設されている。この下皿本体６１は底面部６３を有して凹型にくぼんだ形状となっており、上球皿３０から送られてくる遊技球を貯留する貯留スペース６５を有している。また、底面部６３は４面の三角形状の斜面部６４，６４，６４，６４から形成されており、これら斜面部６４，６４，６４，６４は底面部６３の右側に位置する球抜き口６４を最下部として囲むように配設され、貯留された遊技球が常にこの球抜き口６４に移動するように形成されている（図５参照）。
【００２３】
この球抜き口６６の開閉は底面部６３の下側に位置する球抜き機構７０によって行われ、詳細は後述するが、遊技者によって操作可能となっている。操作方法としては、遊技球を下球皿６０（貯留スペース６５）に貯留させるときには球抜き口６６を閉止させ、遊技球を球抜き口６６の下方に用意した球箱（図示せず）に落下させて収容させるときには球抜き口６６を開口させる。
【００２４】
ここで、本発明に係る球抜き機構７０の構成を図７を用いて説明する。球抜き機構７０は、外郭方形状に形成された基部７４と、それぞれが基部７４上に配設されたシャッター部材７１、操作部材７２、及び引っ張りバネ７３の３つの部材とを有して構成される。基部７４の右側には円形の球抜き口６６が下皿本体６１と連通して開口しており、遊技者は操作部材７２を操作してシャッター部材７１を基部７４の前後枠沿って左右に摺動移動させることにより球抜き口６６の開閉を行う。
【００２５】
シャッター部材７１は、その基板部７１ａの右側に円形部７１ｂを備え、円形部７１ｂは球抜き口６６の開口形状と一致する形状を有している。基板部７１ａの前部には軸部７１ｃが設けられており、これが操作部材７２の支点７２ａを間挿することで操作部材７２を回動自在に支持している。この軸部７１ｃ周辺には第１溝部７１ｄが設けられており、操作部材７２の回動時に操作部材７２とシャッター部材７１が干渉しないようになっている。同様に、この第１溝部７１ｄの右隣には第２溝部７１ｅが設けられており、後述する引張りバネ７３とシャッター部材７１が干渉しないようになっている。
【００２６】
操作部材７２は逆Ｔ字型の形状を有し、前述したように支点７２ａを軸としてシャッター部材７１に回動可能に取り付けられている。この操作部材７２は基部７４の前面より前方に突出して位置する操作部７２ｂを備え、遊技者はこの操作部７２ｂを操作することで操作部材７２及びシャッター部材７１を移動させる。なお、この操作部７２ｂの左側には突出掛止部７２ｃが、右側にはロック解除部７２ｄがそれぞれ設けられており、突出係止部７２ｃは、基部７４の左側面に設けられた凹型の被系止部７４ｂに掛止可能な形状を有している。操作部７２ｂから支点７２ａを中心とした反対側（操作部材７２の後部側）には第１バネ接合部７２ｅが設けられており、ここには引張りバネ７３の左側先端が取り付けられている。なお、この引張りバネ７３の右側先端は基部７４における第２バネ接合部７４ａに取り付けられており、この引張りバネ７３によって操作部材７２と基部７４が連結される構成となっている。
【００２７】
ここで、上記のように構成された本発明の球抜き機構７０の作用について図６〜８を用いて説明する。なお、図６には球抜き口６６が閉止された状態が、図７には球抜き口６６が開口された状態が、図８には球抜き口６６の開口が保持された状態がそれぞれ示されている。
【００２８】
本発明の球抜き機構７０では、操作部材７２と基部７４とを連結する引張りバネ７３によって操作部材７２が常に右側に引張られるように付勢するので、操作部材７２と組み付けられたシャッター部材７１も連れて右側に付勢する。このため、操作部材７２に外部から力が掛かっていない状態では、シャッター部材７１は常に基部７４の右側に位置し、球抜き口６６は円形部７１ｂに覆われて閉止状態となる（図６参照）。遊技球の貯留はこの状態で行われる。
【００２９】
次に、例えば下球皿６０が満杯状態になりつつあるときなど、遊技者が下球皿６０内に貯留された遊技球を球抜き口６６の下方に用意した球箱（図示せず）に落下させて収容したいときには、操作部材７２の操作部７２ｂをつまんで左側に移動させる。そして、図７で示されているようにシャッター部材７１の左側面が基部７４の左側面と当接するように操作部７２ｂを左端まで移動させると、基部７４右端に位置する球抜き口６６が開口し、これにより掛球皿６０内に貯留された遊技球の落下が可能な状態となる。なお、この状態では引張りバネ７３が引き伸ばされているため、操作部材７２の第１バネ接合部７２ｅはこの引張りバネ７３の付勢力によって右側に引張られており、これに付随するシャッター部材７１も右側に引張られている。
【００３０】
ところで、上記で説明したバネの付勢力が直接掛かる第１バネ接合部７２ｅは支点７２ａから外れて位置している。このため、図７の状態における操作部材７２には、右方向への付勢力とともに時計回りの付勢回転モーメントも掛かっている。操作部材７２を球抜き口６６が開口する方向にスライド移動させている状態（図６と図７の中間の状態）では、突出掛止部７２ｃが基部７４の前部面と常に当接するために操作部材７２が回動することはないが、球抜き口６６が完全に開口した図７の状態では、突出掛止部７２ｃは基部７４の左側に突出して位置するために、回動可能に設けられている操作部材７２は上記で説明した付勢モーメントによって時計回りに回動する。
【００３１】
ここで、操作部材７２が上記で説明した引張りバネ７３の付勢力による回転モーメントを受けて図７の状態から時計回りに回動して、操作部材７２の突出掛止部７２ｃが基部７４の被掛止部７４ｂに掛止された状態が図８に示されている。この状態では、引張りバネ７３の付勢により操作部材７２は右方向に引張られていると同時に時計回りに回転モーメントも掛かっているために、遊技者が操作部７２ｂから手を離しても操作部材７２は係止されたままであり、シャッター部材７１の位置は保持され、従って球抜き口６６の開口状態は保持される。
【００３２】
このように、球抜き口６６を閉止状態より開口させる際には、遊技者は操作部７２ｂを左側にスライド移動させて球抜き口６６を開口させればよく、こうすれば引張りバネ７３の付勢力及び付勢モーメントにより操作部材７２の突出掛止部７２ｃが被掛止部７４ｂに自動的に掛止されるので、球抜き口６６の開口が保持される。
【００３３】
また、開口状態が保持された（図８の状態）球抜き口６６を閉止するには、遊技者は操作部材７２のロック解除部７２ｄを矢印の方向に押すなどして操作部材７２を反時計回りに回動させればよい。これにより突出掛止部７２ｃは被掛止部７４ｂより外れるので（図７の状態）、操作部材７２及びシャッター部材７１は引張りバネ７３の付勢力により閉止方向に移動して、自動的に球抜き口６６を閉止する（図６の状態）。
【００３４】
このように本発明の球抜き機構７０は、引張りバネ７３により操作部材７２に掛かる付勢力及び付勢モーメントの両方を利用したものであり、球抜き口６６の開口時におけるシャッター部材７１の位置保持と、球抜き口６６の閉止時におけるシャッター部材７１の閉止方向への移動との２つの作用を得ることができる。従って、遊技者は手動で球抜き口６６の開口・閉止を保持する必要がないので、遊技を中断することなく球箱への遊技球の収容をスムーズに行うことができる。
【図面の簡単な説明】
【００３５】
【図１】本発明に係る球抜き機構を備えたパチンコ機を正面側から見た斜視図である。
【図２】上記パチンコ機のガラス扉および上球皿を開放して示す斜視図である。
【図３】上記パチンコ機を背面側から見た斜視図である。
【図４】本発明に係る球抜き機構を備えた下球皿の斜視図である。
【図５】上記下球皿の斜視図である。
【図６】本発明の球抜き機構を上面から見た平面図である。（球抜き口閉止）
【図７】上記球抜き機構を上面から見た平面図である。（球抜き口開口）
【図８】上記球抜き機構を上面から見た平面図である。（球抜き口開口保持）
【符号の説明】
【００３６】
ＰＭ  パチンコ機（弾球遊技機）
ＰＡ  遊技領域
１  外枠
２  前枠
１０  遊技盤
２６  遊技球発射装置
３０  上球皿
６０  下球皿
６１  下皿本体
６３  底面部
６５  貯留スペース
６６  球抜き口
７０  球抜き機構
７１  シャッター部材
７２  操作部材
７３  引張りバネ
７４  基部
【図１】
2006149509.tif 000003
【図２】
2006149509.tif 000004
【図３】
2006149509.tif 000005
【図４】
2006149509.tif 000006
【図５】
2006149509.tif 000007
【図６】
2006149509.tif 000008
【図７】
2006149509.tif 000009
【図８】
2006149509.tif 000010